(57)【特許請求の範囲】
【請求項１】
複数の加圧薬液タンクと、前記各加圧薬液タンクがそれらに取り付けられた各薬液導出管を介して並列に接続された薬液共用供給管と、前記各加圧薬液タンクに加圧空気を供給する加圧空気供給管と、水道水供給管と、前記薬液共用供給管の途中、前記各加圧空気供給管の途中及び水道水供給管の途中に各々設けられた電磁弁と、前記各加圧薬液タンクを選択し、各薬液を前記薬液供給管へ供給するための薬液電磁弁及び空気電磁弁を操作する手動操作部並びに前記水道水の電磁弁を制御する水道水制御部とを設け、そして前記薬液共用供給管と前記水道水供給管とを独立した複数の流路を内有する洗浄水複合供給管に接続して設け、同洗浄水複合供給管端部（出口）から各種薬液と水道水が混合された各種のうがい水をコップへ供給するようになしたことを特徴とする歯科用薬液コップ給水装置。
【請求項２】
前記洗浄水複合供給管が多重管であることを特徴とする請求項１記載の歯科用薬液コップ給水装置。
【請求項３】
前記洗浄水複合供給管は独立した複数の細管を内有して形成したものであることを特徴とする請求項１記載の歯科用薬液コップ給水装置。
【請求項４】
前記電磁弁において、薬液電磁弁及び加圧空気電磁弁を時限要素手段を用いて制御することを特徴とする請求項１ないし３のいずれかに記載の歯科用薬液コップ給水装置。
【請求項５】
前記時限要素手段がタイマーであることを特徴とする請求項４記載の歯科用薬液コップ給水装置。
【発明の詳細な説明】
【０００１】
【産業上の利用分野】
この発明は歯科治療設備における歯科用薬液コップ給水装置に関するもので、特に口腔の洗浄に際して口腔洗浄水に殺菌剤、甘味料液、メンソール液又は香料液等の薬液を添加することにより歯科治療時における患者の口腔の不快感を軽減してむしろ清涼感を与えるようにした歯科用薬液コップ給水装置に関する。
【０００２】
【従来の技術】
歯科医師による患者の治療に際してはその途中で患者の口腔内を水道水でうがい洗浄をさせて治療を繰り返す。
しかしこのうがい洗浄のみでは、治療に伴って口腔内に残留する薬剤、歯牙切削粉、口中粘液、唾液等に基づいた強い不快味及び不快臭等をいち速く取り除くことが出来なかった。しかも水道水は普通塩素臭の強いこともあって、この種のうがいをしても容易に爽快なうがい効果が得られなかった。
【０００３】
そこで上記の解消策として、殺菌剤、メンソール、甘味料液又は香味料液等の薬剤との希釈水溶液を調製し、その薬剤のいずれかの調製うがい水をそのままうがい水として供給する自動コップ給水装置が提案されている。
しかしこの装置では貯蔵しておける調製うがい水の量に限界がある。すなわち、調製うがい水の大部分が水であるわけでこれを貯蔵するためには大容量の貯蔵タンクが必要となるか、又はこの貯蔵タンクへの液の補充に関連してこまめな保守管理が必要となる。
その対策として、上記大量な調製うがい水は貯蔵しないで、大量とはならない前記殺菌剤、甘味料等の薬液のみを別に貯蔵し、これをうがい時に水道水に添加混合することが行われた。しかしこの方式では、歯科治療に応じた殺菌剤、メンソール等を含んだ各種のうがい水を迅速かつ簡易に用意し提供することができないという欠点があった。
【発明が解決しようとする課題】
【０００４】
この発明の目的は上記問題点に鑑み、上記調製うがい水を頻繁に用意しないでよくそして細かい保守管理が不要でさらに歯科治療行為に応じた各種のうがい水を適宜、迅速に用意することのできる歯科用薬液コップ給水装置を提供することである。
【０００５】
【課題を解決するための手段】
そこでこの発明では上記課題を解消するために、歯科用自動コップ給水装置において、水道水供給管から供給される水道水と、複数の加圧薬液タンクから薬液共用供給管により供給される各種薬液とを洗浄水複合供給管により別送してうがい用洗浄水をコップに供給するようにしたものであって、すなわちこの発明は、
複数の加圧薬液タンクと、前記各加圧薬液タンクがそれらに取り付けられた各薬液導出管を介して並列に接続された薬液共用供給管と、前記各加圧薬液タンクに加圧空気を供給する加圧空気供給管と、水道水供給管と、前記薬液共用供給管の途中、前記各加圧空気供給管の途中及び水道水供給管の途中に各々設けられた電磁弁と、前記各加圧薬液タンクを選択し、各薬液を前記薬液供給管へ供給するための薬液電磁弁及び空気電磁弁を操作する手動操作部並びに前記水道水の電磁弁を制御する水道水制御部とを設け、そして前記薬液共用供給管と前記水道水供給管とを独立した複数の流路を内有する洗浄水複合供給管に接続して設け、同洗浄水複合供給管端部（出口）から各種薬液と水道水が混合された各種のうがい水をコップへ供給するようになしたことを特徴とする歯科用薬液コップ給水装置、である。
上記発明における前記洗浄水複合供給管としては、二重管その他の多重管を用いることができるが、また前記洗浄水複合供給管は独立した複数の細管を内有したものとすることもできる。
上記発明の前記電磁弁においては、薬液電磁弁及び加圧空気電磁弁を時限要素手段を用いて制御することも好ましく、同時限要素手段にタイマーを使用することができる。
【０００６】
【作用】
この発明の歯科用薬液コップ給水装置では予めうがい用洗浄水を調製して大きなタンクに貯蔵するのではなく、複数の加圧薬液タンクに濃厚薬液を貯蔵するものである。すなわち濃厚液で貯蔵するので大きな容量のタンクを使用しなくて済み省スペースであって、このような複数の濃厚薬液を前記水道水に添加して使用時にうがい用洗浄水を用意しコップに供給する。
これによって、患者に対する歯科治療に際し不可欠に伴う口腔内のうがい洗浄のための洗浄水の準備において、かなり煩わしい作業となる前記加圧薬液タンクへの薬液の補給を長期間に渉って省くことができる。
また上記濃厚薬液は複数種類用意されるので治療の性質に応じた異なったうがい洗浄が可能で治療効果が大幅に上がる。
特に、薬液共用供給管と前記水道水供給管とを独立した複数の流路を内有する洗浄水複合供給管に接続して設け、洗浄水複合供給管端部（出口）において、各種薬液と水道水が混合し得るようにしたため、従来方式によると水道水のみの洗浄に切り換えた際に前に使用した薬液等がしばらくの間混入して不快感を与える場合がある問題が生じない。そして、外見上、洗浄水供給管は１本となるため、審美性が確保される。
さらに複数の独立した細管を内蔵した洗浄水供給管にあっては、その仮に１本が損傷した場合の交換も容易であって、メンテナンスも簡易となる。
【０００７】
【実施例】
次にこの発明の歯科用薬液コップ給水装置の実施例をその図面を参照して以下詳細に説明する。
図１はこの発明に係る歯科用薬液コップ給水装置の第１の実施例を示すものであって、この歯科用薬液コップ給水装置は操作部１、薬液供給部２、空気供給部３、コップ検知部４及び洗浄水供給部５等から成る。
前記操作部１は医師等により操作される操作スイッチ６ａ、ｂ・・・と、信号入力から設定時間（秒）だけ信号が出力されるタイマー７ａ、ｂ・・・とを備えている。操作スイッチ６ａ、ｂ・・・の一つが押し下げられることで出力する信号により空気電磁弁１５ａ，ｂ・・及び薬液電磁弁１０ａ、ｂ・・が開閉される。
【０００８】
前記薬液供給部２は各薬液ａ、ｂ・・・について共通に使用される薬液共用供給管８、薬液ａ、ｂ・・・を取り出す薬液導出管９ａ、ｂ・・・、薬液電磁弁１０ａ、ｂ・・・及び加圧薬液タンク１１ａ、ｂ・・・を備える。
前記薬液電磁弁１０ａ、ｂ・・は三方弁であり前記操作部１のタイマー７ａ、ｂ・・・から出力される信号によりその流れの方向が切り換えられる。
加圧薬液タンク１１ａ、ｂ・・・は密閉型の容器であって、薬液ａ、ｂ・・・は薬液注入口１２ａ、ｂ・・・から入れられ貯蔵される。加圧薬液タンク１１ａ、ｂ・・・に薬液導出管９ａ、ｂ・・・及び加圧空気供給管１３ａ、ｂ・・・の下端側が気密に固定される。
空気供給部３は空気圧縮機（図示せず）に接続された加圧空気供給管１３ａ、ｂ・・・、空気流量を予め調節しておく空気流量調節弁１４ａ、ｂ・・・及び空気電磁弁１５ａ、ｂ・・・を有している。前記空気電磁弁１５ａ、ｂ・・・は空気用の三方弁であり操作部１のタイマー７ａ、ｂ・・・の出力により切り換えられる。
コップ検知部４にはうがい用のコップ１６を載せるコップ台１７、コップを置いたこと及びコップが満水となったこと等を検出するコップ検出器１８及び水道水制御部１９がある。前記水道水制御部１９は前記コップ検出器１８からの信号を受けて水道水電磁弁２１の開閉を制御する。
【０００９】
洗浄水供給部５は水道水供給管２０、前記水道水電磁弁２１及び洗浄水複合供給管２２から成っている。前記洗浄水複合供給管２２は例えば図２及び図３に示すように二重管、複数管収納管である。
図２はその分岐部２３を示す斜視断面図であり、図３はＡ−Ａ線断面図である。  洗浄水複合供給管２２の内側管２４は前記薬液共用供給管８と接続されて前記薬液ａ、ｂ・・・はここを流れる。外側管２５は前記水道水供給管２０と接続され水道水が流される。洗浄水複合供給管２２は二重管に限定されるものではない。  図４は他の例を示したＡ−Ａ線断面図であり、複数管収納管で、これは２本の内側管２６、２７と補助的な外側管２８から成っている。例えば第１内側管２６は前記薬液共用供給管８と接続されて前記薬液ａ、ｂ・・・が流れ、第２内側管２７は前記水道水供給管２０と接続されて水道水が流れる。この例に限らず、外側管２８内に３本、４本・・を収納して、各種薬液、水道水等を別々に洗浄水複合供給管２２端部（出口）まで、送給するように構成することもできる。
【００１０】
この発明の歯科用薬液コップ給水装置において、洗浄水用のコップ１６をコップ台１７上に置くとコップ検出器１８から信号が出力される。水道水制御部１９はこの信号に基づいて水道水電磁弁２１を「開」とする。
以上により水道水供給管２０から洗浄水複合供給管２２の外側管２５を経て水道水がコップ１６に注水される。満水になると前記コップ検出器１８からその信号が出力され水道水電磁弁２１は「閉」となり注水が停止する。薬液ａ、ｂ・・・は水道水の注水中又は注水後に操作スイッチ６ａ、ｂ・・・を操作して実行する。例えば薬液ａをコップ１６に添加するためには操作スイッチ６ａを押す。これにより前記操作スイッチ６ａが押された時点から設定時限の間（秒）、タイマー７ａから信号が出力されて空気電磁弁１５ａ及び薬液電磁弁１０ａが「開」となる。なお、前記薬液電磁弁１０ｂ・・は「閉」の状態となっている。
圧縮機からの加圧空気が加圧空気供給管１３ａを経て供給されて加圧薬液タンク１１ａが加圧され、薬液ａの液面が降下して薬液導出管９ａ、薬液共用供給管８を経て洗浄水複合供給管２２の内側管２４を通って薬液ａの少量がコップ１６に入る。タイマー７ａが止まると前記空気電磁弁１５ａが「閉」となって加圧薬液タンク１１ａの空気圧が抜けて薬液ａの供給が停止する。
【００１１】
図５はこの発明の歯科用薬液コップ給水装置の他の実施例を示している。
この歯科用薬液コップ給水装置は主として操作部１に改善を加えたものである。  この操作部１は前記と同様に医師等により操作される記憶スイッチ２９ａ、ｂ・・・と、アンド回路３０ａ、ｂ・・・と、タイマー７ａ、ｂ・・・とを備えている。前記記憶スイッチ２９ａ、ｂ・・・は例えばトグルスイッチである。
アンド回路３０ａ、ｂ・・・は記憶スイッチ２９ａ、ｂ・・・と制御部３１の出力信号をアンド演算して出力する。前記タイマー７ａ、ｂ・・・は信号入力から設定時間（秒）だけ信号が出力される。
この記憶スイッチ２９は予め操作して置くことができる。すなわち、先に前記記憶スイッチ２９を操作しておき、そしてコップ１６をコップ台１７に置くのである。前記コップ１６を置くと、制御部３１により水道水電磁弁２１が「開」となり、同時に空気電磁弁１５ａ及び薬液電磁弁１０ａが短時間「開」となる。
【００１２】
図６はこの発明の歯科用薬液コップ給水装置において操作部１に改善を加え、また加圧薬液タンク１１ａ、ｂ・・・を更に詳しく示したものである。
この操作部１は記憶スイッチ２９ａ、ｂ・・・と、時限制御部３２からなり、時限制御部３２はアンド回路とタイマーを備えている。先に前記記憶スイッチ２９ａを操作しておき、そしてコップ１６をコップ台１７に置くと、時限制御部３２により水道水電磁弁２１、空気電磁弁１５ａ及び薬液電磁弁１０ａが例えば同時に「開」となる。この場合では薬液と水道水とがより早く撹拌される。加圧薬液タンク１１ｄは温水を与えるものでヒーター３３を備えている。
これらの加圧薬液タンクに貯蔵する薬液としては、例えば殺菌液、消毒液、香味・清涼液、甘味液、清浄液等歯科治療に有効な薬剤を用いて調製することができる。
【００１３】
【発明の効果】
この発明の歯科用薬液コップ給水装置は上述のように構成されるものであるから、予めうがい用洗浄水を用意した後に大きなタンクに貯蔵するのではなく、複数の加圧薬液タンクに濃縮状態で薬液を貯蔵するので、大きな容量のタンクを使用しなくて済み省スペースで済む。
これによって、患者に対する歯科治療に際し不可欠に伴う口腔内のうがい洗浄のための洗浄水の準備において、かなり煩わしい作業となる前記各種加圧薬液タンクへの薬液の補給を長期間に渉って省くことができる。
そして、上記濃縮薬液は複数種類用意され、薬液共用供給管を通して水道水と共にコップへ供給されるので治療の性質に応じた異なったうがい洗浄が可能となる。特に、薬液共用供給管と前記水道水供給管とを独立した複数の流路を内有する洗浄水複合供給管に接続して設け、洗浄水複合供給管端部（出口）において、各種薬液と水道水が混合し得るようにしたため、従来方式によると水道水のみの洗浄に切り換えた際に前に使用した薬液等がしばらくの間混入して不快感を与える場合がある問題が生じない。
【図面の簡単な説明】
【図１】この発明の歯科用薬液コップ給水装置の一実施例を示す説明図である。
【図２】この発明の歯科用薬液コップ給水装置の分岐部の拡大斜視断面図である。
【図３】図１のＡ−Ａ線断面図である。
【図４】他の例の洗浄水複合供給管の断面図である。
【図５】この発明の歯科用薬液コップ給水装置の他の実施例を示す説明図である。
【図６】この発明の歯科用薬液コップ給水装置の別の例を示す説明図である。
【符号の説明】
１  操作部                    ２  薬液供給部
３  空気供給部                ４  コップ検知部
５  洗浄水供給部              ６  操作スイッチ
７  タイマー                  ８  薬液共用供給管
９  薬液導出管              １０  薬液電磁弁
１１  加圧薬液タンク          １２  薬液注入口
１３  加圧空気供給管          １４  空気流量調節弁
１５  空気電磁弁              １６  コップ
１７  コップ台                １８  検出器
１９  水道水制御部            ２０  水道水供給管
２１  前記水道水電磁弁        ２２  洗浄水複合供給管
２３  分岐部                  ２４  内側管
２５  外側管                  ２６  第１内側管
２７  第２内側管              ２８  補助外側管
２９  記憶スイッチ            ３０  アンド回路
３１  制御部                  ３２  時限制御部
【図１】
0003815798.tif 000002
【図２】
0003815798.tif 000003
【図３】
0003815798.tif 000004
【図４】
0003815798.tif 000005
【図５】
0003815798.tif 000006
【図６】
0003815798.tif 000007